(57)【特許請求の範囲】
【請求項１】
棚に取り付けられる長尺状の照明装置を、当該棚に取り付けるための取付具であって、
前記棚の棚受けに対しての前記照明装置の取り付け位置が前記照明装置の長手方向に沿って変位可能となるように位置規制を行うための位置調整部と、
前記棚の棚受けに係止するように、基部と、前記照明装置の長手方向を基準とする前記基部の両端から同方向に折れ曲がって延びる第１の延出部及び第２の延出部と、を有する係止部と、
前記第２の延出部の延出端から前記第１の延出部に対して遠ざかる方向に延びる長尺の固定部と、を有し、
前記係止部は、
前記第１の延出部と前記第２の延出部との間に、前記照明装置の端部に当接可能な第３の延出部を有し、
前記照明装置の端部に前記第３の延出部が当接したときが、前記第１の延出部と前記照明装置の端部との前記長手方向における距離が最小の取り付け状態となる、取付具。
【請求項２】
前記第１の延出部、第３の延出部、第２の延出部、の順で延出長さが長い、ことを特徴とする請求項１に記載の取付具。
【請求項３】
外側筺体が樹脂で形成された棚に取付けられる照明装置であって、請求項１又は請求項２に記載の取付具を備えた照明装置。
【発明の詳細な説明】
【技術分野】
【０００１】
本発明は、取付具及び照明装置、特に、長尺状の照明装置を棚に取り付けるための取付具及び照明装置に関する。
【背景技術】
【０００２】
従来から、棚に長尺状の照明装置を取り付けるための取付具が知られている。
【０００３】
また、このような取付具としては、例えば、一対の柱状金属フレームにＬ字形状のアームの基部を固定するとともに、アームの上面間に棚板を固定した棚構造に長尺状の照明装置を取り付ける場合に使用するものが既に知られている（例えば、特許文献１参照）。この際、長尺状の照明装置は、棚板の下面側において一対のアームの間に跨るように配置し、照明装置の両端と一対のアームとを取付具により固定するようになっている。
【先行技術文献】
【特許文献】
【０００４】
【特許文献１】特開平１０−０５０１３３号公報
【発明の概要】
【発明が解決しようとする課題】
【０００５】
しかしながら、このような取付具にあっては、長尺状の照明装置の長さに対して一対のアームの離間距離の方が長い場合、照明装置をガタ付きが発生しないように容易に取り付けることが困難であるという問題があった。
【０００６】
本発明は、上述のような課題を解決するために、棚に対して長尺な照明装置を容易に取り付けることができる取付具及び照明装置を提供することを目的とする。
【課題を解決するための手段】
【０００７】
本発明に係る取付具は、上記目的を達成のため、棚に取り付けられる長尺状の照明装置を、当該棚に取り付けるための取付具であって、棚の取り付け部位に照明装置の長手方向に沿って変位可能となるように位置規制を行うための位置調整部を有するものである。
【発明の効果】
【０００８】
本発明によれば、照明装置の長手方向に沿う位置規制を行うための伸縮自在とする位置調整部を有することにより、棚に対して長尺な照明装置を容易に取り付けることができる。
【図面の簡単な説明】
【０００９】
【図１】本発明の一実施の形態に係る取付具を装着した照明装置の斜視図である。
【図２】本発明の一実施の形態に係る取付具を含む照明装置の分解斜視図である。
【図３】本発明の一実施の形態に係る取付具を装着した照明装置の要部の断面図を示し、（Ａ）は照明装置の断面図、（Ｂ）はヒートシンクの断面図である。
【図４】本発明の一実施の形態に係る取付具の周辺部分の照明装置を示し、（Ａ）は左端側の要部の分解斜視図、（Ｂ）はカバーの断面図である。
【図５】本発明の一実施の形態に係る取付具の周辺部分の照明装置の右端側の要部の分解斜視図である。
【図６】本発明の一実施の形態に係る取付具の斜視図である。
【図７】本発明の一実施の形態に係る取付具の正面図である。
【図８】本発明の一実施の形態に係る取付具を幅広状態で装着した照明装置の要部の斜視図である。
【図９】本発明の一実施の形態に係る取付具を幅狭状態で装着した照明装置の要部の斜視図である。
【発明を実施するための形態】
【００１０】
次に、本発明の一実施形態に係る取付具について、図面を参照して説明する。なお、以下に示す実施形態は本発明の取付具における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組み合せを含む様々なバリエーションが可能である。したがって、以下に示す実施の形態の記載をもって、特許請求の範囲に記載された発明の内容を限定するものではない。
【００１１】
図１及び図２に示すように、照明装置１０は、全体として長尺状の矩形な外観を呈している。なお、以下の説明では、照明装置１０を棚下（図示せず）に設置した場合における使用者側から見た場合を方向の基準とする。すなわち、長尺方向である長手方向は左右方向又は長さ方向とも称する場合がある。同様に、底面側は上下方向の下方、上面側は上下方向の上方とも称する場合がある。この上下方向を照明装置１０の高さ方向とも称する場合がある。さらに、利用者側となる手前方向を前方、利用者側とは反対側となる奥行き方向を後方とも称する場合がある。また、この前後方向を照明装置１０の幅方向又は短手方向とも称する場合がある。
【００１２】
照明装置１０は、ヒートシンク１１と、ヒートシンク１１の底面側に配置したＬＥＤ基板１２と、ＬＥＤ基板１２を覆うようにヒートシンク１１の底面側に装着する透光性カバー１３と、ヒートシンク１１の上面側を覆うカバー１４と、を備える。これらヒートシンク１１、ＬＥＤ基板１２、透光性カバー１３、カバー１４は、ＬＥＤ基板１２のを基準として長尺状であり、この長さによって照明装置１０の全体としての長さを規定することができる。照明装置１０は、長手方向に沿う一端側（右側）に電源ユニット１５を収納する収納ユニット２０を配置し、他端側（左側）にカバーユニット３０を配置している。
【００１３】
図３に示すように、ヒートシンク１１は、幅方向に沿う断面において略クランク状に屈曲した金属（例えば、アルミ）の押し出し成型品である。ヒートシンク１１は、ＬＥＤ基板１２を底面側で支持する上面部１１Ａと、上面部１１Ａの後端縁から下向きに屈曲する隔壁部１１Ｂと、隔壁部１１Ｂの下端から後方に延びる底面部１１Ｃと、を一体に有している。なお、ヒートシンク１１は、長手方向に沿う押し出し成型品であるため、これら上面部１１Ａ、隔壁部１１Ｂ、底面部１１Ｃは、以下に示す各部位を含めて特に言及しない限り長手方向に沿って一体に延在しているものとする。
【００１４】
上面部１１Ａは、平板状の支持面部１１１と、支持面部１１１の底面側前後に位置して長手方向に沿って延在する一対の保持溝部１１２と、支持面部１１１の先端縁に沿って上下に屈曲したモール部１１３と、支持面部１１１の後端寄りにおいて上方に向けて立ち上がる一対のレール部１１４と、モール部１１３の下端側を内向きに屈曲させたカバー上端保持溝部１１５と、を有する。
【００１５】
支持面部１１１は、ＬＥＤ基板１２よりも幅広であり、レール部１１４を放熱フィン兼用としてＬＥＤ基板１２からの熱を放熱する。なお、ヒートシンク１１は、その全体として放熱機能を有している。
【００１６】
保持溝部１１２は、互いに接近する方向に屈曲した断面Ｌ字形状とすることでＬＥＤ基板１２を落下防止状態で保持する。
【００１７】
モール部１１３は、上述した放熱機能に加え、照明装置１０の外観上の装飾の一部として利用することも可能となっている。したがって、モール部１１３には、例えば、少なくとも表面に銀幕塗装等の表面処理を施してもよい。
【００１８】
レール部１１４は、後述するネジ１６の雄ネジ部と螺合することができる。この際、レール部１１４は、適宜所定位置に雌ネジを形成してもよいし、ネジ１６の螺合をさせた際に塑性変形によりネジ留め状態を許容するよう構成してもよい。なお、この場合には、一対のレール部１１４は、照明装置１０の長手方向に沿う位置調整部として機能することも可能である。
【００１９】
カバー上端保持溝部１１５は、一方の保持溝部１１２を利用して透光性カバー１３の上端と係合し、透光性カバー１３を保持する。
【００２０】
隔壁部１１Ｂは、支持面部１１１と透光性カバー１３とで灯室１７を形成する。隔壁部１１Ｂは、奥側の保持溝部１１２から奥下に傾斜する傾斜壁部１１６と、傾斜壁部１１６の下端から下方に延びる縦壁部１１７と、を備える。
【００２１】
傾斜壁部１１６は、ＬＥＤ基板１２を配置した灯室１７の内表面に、例えば、白色塗装や白色シート（図示せず）の貼り付けによって、ＬＥＤ基板１２の下面に実装したＬＥＤ素子１２Ａから出射した照明光束を前方下向きに反射する反射面を兼用する。なお、縦壁部１１７に関しても、角度が異なる以外は傾斜壁部１１６と実質的に同一の機能を有している。
【００２２】
底面部１１Ｃは、平面部１１８と、平面部１１８の先端寄りから縦壁部１１７の下端寄りとの間を接続するカバー下端保持溝部１１９と、平面部１１８の後端寄りから楔状に立ち上がる後カバー係合部１２０と、を備える。
【００２３】
カバー下端保持溝部１１９は、平面部１１８の先端及び縦壁部１１７の下端と協働して透光性カバー１３の下端（後端）と係合し、透光性カバー１３の下端（後端）を保持する。
【００２４】
ＬＥＤ基板１２は、本実施の形態では、矩形の発光面を有する多数のＬＥＤ素子１２Ａを一列以上で長手方向に沿って配置しており、例えば、その右端に位置するＬＥＤ素子１２Ａを高電位側とし、その左端に位置するＬＥＤ素子１２Ａを低電位側としている。したがって、その配線は、電源ユニット１５から高電位側のＬＥＤ素子１２Ａに電力が供給され、低電位側からアースされる。なお、配線コードは、例えば、支持面部１１１とカバー１４との間の空間内、又は、隔壁部１１Ｂと底面部１１Ｃとカバー１４とで形成される空間内、を利用して配策される。
【００２５】
透光性カバー１３は、例えば、白色透明の合成樹脂（例えば、ＰＣやＰＭＭＡ）から断面略Ｌ字形状に形成されている。透光性カバー１３は、その両端を上端及び下端としてカバー上端保持溝部１１５及びカバー下端保持溝部１１９と係合する。これにより、透光性カバー１３は、ヒートシンク１１に保持される。なお、透光性カバー１３は、その内面（灯室１７側）及び外表面の少なくとも何れか一方に長手方向に延びる１条以上のリブ（図示せず）を形成し、レンズ機能を具備させることによって配光制御してもよい。なお、透光性カバー１３は、その上端は後方から前方に折り返すように屈曲させており、その下端は後方上向きに階段状に屈曲させている。これにより、透光性カバー１３は、外方（下方又は前方）からの外力に対してカバー上端保持溝部１１５及びカバー下端保持溝部１１９との係合状態を維持するとともに、長手方向へのスライドを許容しつつ下方への脱落を抑制するようになっている。
【００２６】
カバー１４は、合成樹脂（例えば、ＡＢＳ）の一体成型により上面壁部１４Ａと背面壁部１４Ｂとを備えている。本実施の形態において、カバー１４は、その左端側にカバーユニット３０を配置していることから、その分だけヒートシンク１１よりも長手方向に短く形成されている。
【００２７】
図４に示すように、上面壁部１４Ａは、底面側（内面側）に一対のレール部１１４を前後で挟む一対のリブ１４１と、上面側（表面側）にリブ１４１よりも前後方向に幅広な凹陥状のガイド溝１４２と、を一体に形成している。
【００２８】
ガイド溝１４２の底面には、長手方向に沿う溝１４３と、ネジ１６を挿通するネジ挿通孔１４４と、を形成している。
【００２９】
背面壁部１４Ｂは、その下端に後カバー係合部１２０と係合する係合部１４５を一体に有している。なお、係合部１４５は下方に向けて開放しているが、後カバー係合部１２０が楔状に屈曲していることから、単なる係合ではなく、嵌め込み（スライド）としてもよい。
【００３０】
電源ユニット１５は、商用電源等からの外部電力（又はバッテリ等からの内部電力）が供給され、必要に応じて整流・昇圧（又は降圧）等の電源制御を行ったうえでＬＥＤ素子１２Ａを含む各種電子部品等に電力を供給する。
【００３１】
図５に示すように、収納ユニット２０は、上カバー２１と、下前カバー２２と、下後カバー２３と、を備える。
【００３２】
上カバー２１は、カバー１４と同様に、合成樹脂（例えば、ＡＢＳ）の一体成型により上面壁部２１Ａと、背面壁部２１Ｂと、内端壁２１Ｃと、を備えている。
【００３３】
上面壁部２１Ａは、上面側（表面側）にガイド溝１４２と同じ幅及び深さで連続する凹部２１１と、ネジ１６を挿通するネジ挿通孔２１２と、を形成している。
【００３４】
内端壁２１Cは、例えば、ヒートシンク１１及びカバー１４の右側端部を保持するように所定の嵌合突起等を形成している。これにより、例えば、ヒートシンク１１及びカバー１４をガタ無く保持する。
【００３５】
下前カバー２２は、例えば、見掛け上において透光性カバー１３と同一であり、ダミーの透光性カバー機能を有している。なお、本実施の形態においては、この下前カバー２２と上カバー２１との間に電源ユニット１５を収納し、固定ネジ１５Ａを介して下前カバー２２に電源ユニット１５が固定される。この際、ＬＥＤ基板１２に実装したＬＥＤ素子１２Ａからの照明光は下前カバー２２には漏れないようになっている。なお、下前カバー２２は、透光性カバー１３と同一でなく、遮光性カバーや装飾カバーとしてもよい。
【００３６】
下後カバー２３は、例えば、見掛け上においてヒートシンク１１の底面部１１Ｃ及びカバー１４の背面壁部１４Ｂの一部の機能を有している。なお、材質はヒートシンク１１と同じである必要はない。
【００３７】
カバーユニット３０は、上カバー３１と、背面カバー３２と、端部カバー３３と、を有する。
【００３８】
上カバー３１は、カバー１４と同様に、合成樹脂（例えば、ＡＢＳ）の一体成型により上面壁部３１Ａを備えている。この上面壁部３１Ａは、上面側（表面側）にガイド溝１４２と同じ幅及び深さで連続する凹部３１１と、ネジ１６を挿通するネジ挿通孔３１２と、を形成している。なお、上カバー３１の下方空間には、他の照明装置を接続する場合の電力供給用コネクタ（図示せず）を配置することができる。この際、電力供給用コネクタから他の照明装置への配線（図示せず）は、端部カバー３３に形成した導出孔３３ａから引き出される。
【００３９】
背面カバー３２は、上縁に上カバー３１と係合する上係合部３２１と、下縁に後カバー係合部１２０と係合する下係合部３２２と、を一体に形成している。
【００４０】
端部カバー３３は、左端部の開放端を閉じる機能を有している。この際、上カバー３１、背面カバー３２、底面部１１Ｃで構成する空間内には、別途他の照明装置１を連結する場合の電源ユニットを収納することも可能である。
【００４１】
一方、照明装置１の左右両端部の上面には、照明装置１を棚（例えば、棚下等）に取り付けるための取付具４０がネジ１６を介して固定可能となっている。
【００４２】
図６及び図７に示すように、取付具４０は、長尺状の照明装置１を棚に取り付けるためのものであって、棚の取り付け部位に照明装置１の長手方向に沿って変位可能となるように位置規制を行うための位置調整部を有する。なお、詳細は後述するが、位置調整部は、照明装置１の天面に対応して設けている。具体的に位置調整部は、照明装置１の右端部にあっては、カバー１４の上面壁部１４Ａと収納ユニット２０の上カバー２１と対応して設けている。また、位置調整部は、照明装置１の左端部にあっては、カバー１４の上面壁部１４Ａとカバーユニット３０の上カバー３１とに対応して設けている。
【００４３】
取付具４０は、棚の棚受けＤに係止する係止部４１と、係止部４１と一体の固定部４２と、を有している。
【００４４】
係止部４１は、基部４１ａと、照明装置１の長手方向を基準とする基部４１ａの両端から同方向に折れ曲がって延びる第１の延出部４１ｂ及び第２の延出部４１ｃと、を有する。
【００４５】
基部４１ａは、第１の延出部４１ｂと第２の延出部４１ｃとの間に、固定部４２が照明装置１の長手方向の最短位置となるように照明装置１の端面に当接可能な第３の延出部４１ｄを有する。これにより、取付具４０が不測に照明装置１に収納されることを抑制することができる。
【００４６】
第２の延出部４１ｃの延出長さ（高さ）は、ネジ１６の頭部の高さよりも高いのが望ましい。これにより、ネジ１６の頭部が棚下で邪魔になったりすることがない。なお、第２の延出部４１ｃの高さは、より高い方が照明装置１の設置位置を低く、すなわち、棚下から使用者側に接近させることができる。
【００４７】
ところで、第１の延出部４１ｂ、第３の延出部４１ｄ、第２の延出部４１ｃ、の延出長さは、この順で延出長さを長くするのが望ましい。これにより、端部側から順に長さを短くすることができ、取付具４０の小型化に貢献することができる。
【００４８】
固定部４２は、第２の延出部４１ｃの延出端から第１の延出部４１ｂに対して遠ざかる方向に延びる長尺であり、照明装置１の右端部にあっては、カバー１４の上面壁部１４Ａと収納ユニット２０の上カバー２１とに跨る長さを有している。同様に、固定部４２は、照明装置１の左端部にあっては、カバー１４の上面壁部１４Ａとカバーユニット３０の上カバー３１とに跨る長さを有している。したがって、照明装置１のガイド溝１４２は、端面に開放して固定部４２を長尺方向に沿ってスライド可能としている。
【００４９】
固定部４２は、長尺方向に沿って間隔をおいて並び、かつ、長尺方向に沿って延びる長穴状の一対の開口４２ａを備える。なお、本実施の形態においては、この開口４２ａ、ガイド溝１４２、及びネジ１６が特許請求の範囲における位置調整部を構成している。したがって、照明装置１のガイド溝１４２は、照明装置１の天面において一対の開口４２ａの長尺方向と照明装置１の長手方向とが一致するように固定部４２をスライド可能とするとともに、一対の開口４２ａの長尺方向の長さを照明装置１に対する固定部４２のスライド範囲として位置規制する。また、ネジ１６は、一対の開口４２ａを挿通するとともに一対のレール部１１４にネジ部が螺合することで固定部４２を位置規制したうえで取付具４０を照明装置１の上面に対して固定する固定部材としての機能を有している。固定部４２の肉厚は、ガイド溝１４２の深さと同じかそれ以下とするのが好ましい。
【００５０】
このような基本構成において、本実施の形態に係る取付具４０は、棚の取り付け部位に照明装置１の長手方向に沿って変位可能となるように位置規制を行うための位置調整部を有することにより、棚に対して長尺な照明装置を容易に取り付けることにある。
【００５１】
次に、本実施の形態に係る取付具４０の作用を説明する。上記の構成において、取付具４０は、固定部４２をガイド溝１４２に位置させた状態で、開口４２ａを介してネジ挿通孔１４４，ネジ挿通孔２１２，ネジ挿通孔３１２にネジ１６を挿通し、レール部１１４に軽く螺合する。
【００５２】
これにより、取付具４０は、ガイド溝１４２に沿って開口４２ａの長さの範囲内でスライドさせることができる。この際、図８に示すように、第３の延出部４１ｄを照明装置１の端部から離すほど、照明装置１の長手方向に長い棚への取り付けが可能となる。一方、図９に示すように、第３の延出部４１ｄを照明装置１の端部に接触したときが、照明装置１の長手方向に最小に短い取り付け状態となる。
【００５３】
そして、棚受けＤに係止部４１を係止させ（又は係止可能となるように位置調整し）、ネジ１６を強固にレール部１１４に螺合させることにより、照明装置１の上面に対して左右一対の取付具４０を固定することができる。
【００５４】
ところで、本発明の取付具４０は、上記の実施の形態に限定されるものでなく、特許請求の範囲に記載した技術的範囲には、発明の要旨を逸脱しない範囲内で種々、設計変更した形態が含まれる。
【００５５】
例えば、上記実施の形態では、位置調整部として開口４２ａ、ガイド溝１４２、及びネジ１６を用いた場合で説明したが、上記に限定されるものではない。例えば、ガイド溝１４２の溝壁に多数の凹凸を形成し、固定部４２の長手方向に沿う両縁部にこの凹凸と係合する凹凸を設けて互いに雌雄を異ならせて弾発係合することで位置規制したうえで固定するものでもよい。また、ネジ１６に替えて、ガイド溝１４２の溝壁にラックギヤを形成し、このラックギヤと係合するピニオンギヤとして無段階に位置規制したうえで固定するよう構成してもよい。
【００５６】
また、以上既に述べた以外にも、上記実施の形態による手法を適宜組み合わせて利用しても良い。
【００５７】
その他、本発明は、その趣旨を逸脱しない範囲内において、種々の変更が加えられて実施されるものである。
【００５８】
以上説明したように、本発明に係る取付具４０は、棚に対して長尺な照明装置を容易に取り付けることができるという効果を有し、長尺状の照明装置を棚に取り付けるための取付具全般に有用である。
【符号の説明】
【００５９】
１  照明装置
１６  ネジ（位置調整部）
４０  取付具
４１  係止部
４１ａ  基部
４１ｂ  第１の延出部
４１ｃ  第２の延出部
４１ｄ  第３の延出部
４２  固定部
４２ａ  開口（位置調整部）
Ｄ  棚受け（棚）
【図１】
0006799768.tif 000002
【図２】
0006799768.tif 000003
【図３】
0006799768.tif 000004
【図４】
0006799768.tif 000005
【図５】
0006799768.tif 000006
【図６】
0006799768.tif 000007
【図７】
0006799768.tif 000008
【図８】
0006799768.tif 000009
【図９】
0006799768.tif 000010